(57)【要約】【課題】  清掃タイミングを適切に利用者に報知して、アクティブノイズ制御による騒音低減効果を維持できる消音装置を提供する。【解決手段】  騒音源が発する音が伝播する通気路に設けられた参照マイクロホン１１と、参照マイクロホン１１が集音した音に基づいて、騒音源が発する音を打ち消すキャンセル音を生成するキャンセル音生成部１４ａと、通気路内にキャンセル音を出力するスピーカ１３と、通気路において、騒音源が発する音とキャンセル音との合成音を集音する誤差マイクロホン１２と、誤差マイクロホン１２が集音した音が小さくなるように、キャンセル音生成部１４ａによるキャンセル音の生成処理を制御する制御部１４ｂと、参照マイクロホン１１および誤差マイクロホン１２の少なくとも一方の出力に基づいて、通気路の汚れ具合を判定する判定部１５ａと、この判定結果に基づく報知動作を行う報知部１６とを備える。【選択図】図１
2014077906.tif 000002
【特許請求の範囲】
【請求項１】
騒音源から発せられた音が伝播する空間に設けた第１のマイクロホンと、
前記第１のマイクロホンが集音した音に基づいて、前記騒音源から発せられた音を打ち消すキャンセル音を生成するキャンセル音生成部と、
前記空間に前記キャンセル音を出力するスピーカと、
前記空間において、前記騒音源から発せられた音と前記キャンセル音との合成音を集音する第２のマイクロホンと、
前記第２のマイクロホンが集音した音が小さくなるように、前記キャンセル音生成部による前記キャンセル音の生成処理を制御する制御部と、
前記第１のマイクロホンおよび前記第２のマイクロホンの少なくとも一方の出力に基づいて、前記第１のマイクロホンおよび前記第２のマイクロホンの各汚れ具合と、前記スピーカの汚れ具合との少なくとも一方を判定する判定部と、
前記判定部の判定結果に基づく報知動作を行う報知部とを備える
ことを特徴とする消音装置。
【請求項２】
前記判定部は、前記第１のマイクロホンおよび前記第２のマイクロホンの少なくとも一方の出力に基づいて、前記第１のマイクロホン、前記第２のマイクロホン、前記スピーカの各汚れ具合を判定することを特徴とする請求項１記載の消音装置。
【請求項３】
前記判定部は、前記第１のマイクロホン、前記第２のマイクロホンの各汚れ具合に応じて、前記空間における清掃箇所を判定することを特徴とする請求項１または２記載の消音装置。
【請求項４】
前記騒音源は、前記空間を形成する通気路の一方側から他方側へ空気を吸い込むファンであることを特徴とする請求項１乃至３いずれか記載の消音装置。
【請求項５】
前記判定部は、前記ファンが動作を開始してから所定時間内に、前記第１のマイクロホンおよび前記第２のマイクロホンの少なくとも一方が前記ファンの動作音を集音した結果に基づいて、少なくとも前記第１のマイクロホン、前記第２のマイクロホンの各汚れ具合を判定することを特徴とする請求項４記載の消音装置。
【請求項６】
前記スピーカから評価音を出力させる評価音再生部を備え、
前記判定部は、前記ファンの停止時に、前記スピーカから出力された前記評価音を集音した結果に基づいて、少なくとも前記第１のマイクロホン、前記第２のマイクロホンの各汚れ具合を判定することを特徴とする請求項４記載の消音装置。
【請求項７】
前記評価音は、前記ファンの動作音の擬似音であることを特徴とする請求項６記載の消音装置。
【発明の詳細な説明】
【技術分野】
【０００１】
本発明は、消音装置に関するものである。
【背景技術】
【０００２】
従来、レンジフード装置、電気機器、空調ダクト、トンネル等のように、騒音源が発する音が伝播する空間において、騒音を低減するために、アクティブノイズ制御が用いられている。アクティブノイズ制御とは、騒音の逆位相、同振幅のキャンセル音を放射することによって、能動的に騒音を低減させる技術である（例えば、特許文献１参照）。
【先行技術文献】
【特許文献】
【０００３】
【特許文献１】特開平８−３３８２２４号公報
【発明の概要】
【発明が解決しようとする課題】
【０００４】
アクティブノイズ制御では、空間の騒音を検出するために、マイクロホンを空間に設置している。そして、マイクロホンが集音した騒音信号に基づいて、キャンセル音を生成し、空間に設けたスピーカからキャンセル音を出力する。
【０００５】
しかしながら、時間の経過に伴って、空間内に油や埃等の汚れが入り込むと、マイクロホンやスピーカに汚れが付着する。
【０００６】
汚れが付着したマイクロホンは、感度、周波数特性が変化するので、集音した騒音信号に基づいて生成したキャンセル音の位相、振幅が変化する。また、スピーカに汚れが付着することによっても、スピーカから出力されるキャンセル音の位相、振幅が変化する。そして、位相、振幅が変化したキャンセル音は、騒音の逆位相、同振幅とならず、アクティブノイズ制御による騒音の低減効果が低下してしまう虞がある。
【０００７】
そこで、ユーザは、マイクロホンやスピーカを定期的に清掃する必要があるが、消音装置の周囲環境等によって、汚れ具合が異なるため、ユーザが適切な清掃タイミングを決めることは難しかった。
【０００８】
本発明は、上記事由に鑑みてなされたものであり、その目的は、清掃タイミングを適切に利用者に報知して、アクティブノイズ制御による騒音低減効果を維持できる消音装置を提供することにある。
【課題を解決するための手段】
【０００９】
本発明の消音装置は、騒音源から発せられた音が伝播する空間に設けた第１のマイクロホンと、前記第１のマイクロホンが集音した音に基づいて、前記騒音源から発せられた音を打ち消すキャンセル音を生成するキャンセル音生成部と、前記空間に前記キャンセル音を出力するスピーカと、前記空間において、前記騒音源から発せられた音と前記キャンセル音との合成音を集音する第２のマイクロホンと、前記第２のマイクロホンが集音した音が小さくなるように、前記キャンセル音生成部による前記キャンセル音の生成処理を制御する制御部と、前記第１のマイクロホンおよび前記第２のマイクロホンの少なくとも一方の出力に基づいて、前記第１のマイクロホンおよび前記第２のマイクロホンの各汚れ具合と前記スピーカの汚れ具合との少なくとも一方を判定する判定部と、前記判定部の判定結果に基づく報知動作を行う報知部とを備えることを特徴とする。
【００１０】
この発明において、前記判定部は、前記第１のマイクロホンおよび前記第２のマイクロホンの少なくとも一方の出力に基づいて、前記第１のマイクロホン、前記第２のマイクロホン、前記スピーカの各汚れ具合を判定することが好ましい。
【００１１】
この発明において、前記判定部は、前記第１のマイクロホン、前記第２のマイクロホンの各汚れ具合に応じて、前記空間における清掃箇所を判定することが好ましい。
【００１２】
この発明において、前記騒音源は、前記空間を形成する通気路の一方側から他方側へ空気を吸い込むファンであることが好ましい。
【００１３】
この発明において、前記判定部は、前記ファンが動作を開始してから所定時間内に、前記第１のマイクロホンおよび前記第２のマイクロホンの少なくとも一方が前記ファンの動作音を集音した結果に基づいて、少なくとも前記第１のマイクロホン、前記第２のマイクロホンの各汚れ具合を判定することが好ましい。
【００１４】
この発明において、前記スピーカから評価音を出力させる評価音再生部を備え、前記判定部は、前記ファンの停止時に、前記スピーカから出力された前記評価音を集音した結果に基づいて、少なくとも前記第１のマイクロホン、前記第２のマイクロホンの各汚れ具合を判定することが好ましい。
【００１５】
この発明において、前記評価音は、前記ファンの動作音の擬似音であることが好ましい。
【発明の効果】
【００１６】
本発明では、以上説明したように、清掃タイミングを適切に利用者に報知し、清掃後の各部は本来の性能を回復するので、騒音の低減効果も回復する。すなわち、本発明では、清掃タイミングを適切に利用者に報知して、アクティブノイズ制御による騒音低減効果を維持できるという効果がある。
【００１７】
また、本発明の消音装置をレンジフード装置等のファンを備えた装置に用いた場合、これらの装置のファンの清掃タイミングも利用者に報知することができる。したがって、ファンの清掃によって、ファンの基本性能（吸気量、排気量等）を維持することができ、レンジフード装置等のファンを備えた装置としての機能を維持することも可能となる。
【図面の簡単な説明】
【００１８】
【図１】実施形態１の消音装置の構成を示すブロック図である。
【図２】同上の消音装置を用いたレンジフードの構成を示す概略図である。
【図３】同上の消音装置を用いたレンジフードの外観を示す概略図である。
【図４】同上の消音ユニットの構成を示す斜視図である。
【図５】同上のアクティブノイズ制御の概略を示す波形図である。
【図６】同上の汚れ検知処理を示すフローチャート図である。
【図７】（ａ）（ｂ）同上の判断テーブルを示すグラフ図である。
【図８】同上の別の判断テーブルを示すグラフ図である。
【図９】実施形態２の消音装置の構成を示すブロック図である。
【図１０】同上の汚れ検知処理を示すフローチャート図である。
【図１１】実施形態３の汚れ検知処理を示すフローチャート図である。
【図１２】同上の汚れ検知処理を示す状態遷移図である。
【発明を実施するための形態】
【００１９】
以下、本発明の実施の形態を図面に基づいて説明する。
【００２０】
（実施形態１）
図１は、本実施形態の消音装置Ａの構成を示し、図２，図３は、消音装置Ａを用いたレンジフード装置の概略を示す。
【００２１】
レンジフード装置は、図３に示すように、台所の厨房器具の上方に配設されたフード１（通気路）を備える。フード１は、下面に吸気口１ａを設けた箱状に形成されており、フード１内には、吸気口１ａからフード１内に室内空気を取り込んで室外に排出するファン２（図２参照）を設けている。また、吸気口１ａには、フィルタ３（図２参照）が覆設し、フィルタ３の下方には整流板４が設けられている。フィルタ３は、吸気口１ａからフード１内に入る油、埃等を濾過する。整流板４は、吸気口１ａより一回り小さく形成されており、吸気効率を向上させている。なお、通気路を構成するフード１が、本発明の空間に相当する。
【００２２】
そして、ファン２が動作すると、ファン２の動作音（騒音）がフード１内を伝播し、吸気口１ａから室内に伝わる。そこで、ファン２の動作時に室内に伝わる騒音を抑制するため、フード１に消音装置Ａが設けられている。
【００２３】
消音装置Ａは、図１、図２に示すように、参照マイクロホン１１（第１のマイクロホン）、誤差マイクロホン１２（第２のマイクロホン）、スピーカ１３、報知部１６、コントロールブロックＡ１で構成される。コントロールブロックＡ１は、デジタルシグナルプロセッサ（ＤＳＰ）等で構成され、消音制御ブロック１４、汚れ検知ブロック１５の各機能を備える。このデジタルシグナルプロセッサは、コントロールブロックＡ１の各機能を実現するプログラムを実行する。
【００２４】
そして、図４に示すように、参照マイクロホン１１、誤差マイクロホン１２、スピーカ１３、コントロールブロックＡ１が筐体Ｋに組み込まれることによって、消音ユニットＵを構成している。この消音ユニットＵは、フード１の通気路に、着脱自在に配置される（図３参照）。
【００２５】
また、報知部１６は、フード１の前面に設けられており（図３参照）、消音ユニットＵが出力した報知信号によって、報知動作を行う。この報知部１６は、ＬＥＤ等の点灯、点滅による視覚的な報知手段、ブザー発生器等の聴覚的な報知手段のいずれで構成されてもよい。また、報知部１６は、液晶画面等を設けて、文字表示、記号表示等による報知動作を行ってもよい。
【００２６】
図２に示すように、参照マイクロホン１１は、フード１の内面においてファン２側に位置し、誤差マイクロホン１２は、フード１の内面において吸気口１ａ側に位置する。スピーカ１３は、フード１の内面において、参照マイクロホン１１と誤差マイクロホン１２との間に位置している。すなわち、吸気口１ａからファン２に至る通気路において、誤差マイクロホン１２、スピーカ１３、参照マイクロホン１１の順に配置されている。
【００２７】
図１に示すように、コントロールブロックＡ１において、消音制御ブロック１４は、キャンセル音生成部１４ａと、制御部１４ｂとを備える。そして、消音制御ブロック１４は、誤差マイクロホン１２の設置点における音圧レベルが最小になるよう、騒音源であるファン２の動作音を打ち消すキャンセル音をスピーカ１３から出力することによって、ファン２の動作時に室内に伝わる騒音を抑制する。すなわち、消音制御ブロック１４は、アクティブノイズ制御を行うものであり、ファン２の騒音変化、騒音伝播特性の変化に追従するために、適応フィルタの機能を実現する消音用プログラムを実行する。この適応フィルタのフィルタ係数の更新には、例えば、Ｆｉｌｔｅｒｅｄ−Ｘ ＬＭＳ逐次更新制御アルゴリズムが使用される。
【００２８】
具体的に、参照マイクロホン１１は、ファン２の動作音を集音して、参照信号を出力する。この参照信号は、増幅処理、Ａ／Ｄ変換処理が施された後、消音制御ブロック１４に入力される。
【００２９】
また、誤差マイクロホン１２は、ファン２の動作音とキャンセル音との合成音を集音して、誤差信号を出力する。この誤差信号は、増幅処理、Ａ／Ｄ変換処理が施された後、消音制御ブロック１４に入力される。
【００３０】
そして、消音制御ブロック１４において、キャンセル音生成部１４ａは、参照マイクロホン１１からの参照信号に基づいて騒音を打ち消すキャンセル音を生成する適応フィルタで構成されている。このキャンセル音は、ファン２の動作音の波形に対して、逆位相、同振幅となる波形に形成される。
【００３１】
また、制御部１４ｂには、誤差マイクロホン１２からの誤差信号が入力される。制御部１４ｂは、誤差信号が最小となるように、キャンセル音生成部１４ａのフィルタ係数を随時更新することによって、キャンセル音による騒音低減効果が最大となるように、キャンセル音生成部１４ａの動作を制御する。
【００３２】
キャンセル音生成部１４ａが生成したキャンセル音は、Ｄ／Ａ変換処理、増幅処理を施された後、スピーカ１３から出力される。すなわち、図５に示すように、キャンセル音の波形Ｙ１は、ファン２の動作音の波形Ｙ２に対して、逆位相、同振幅となり、ファン２からフード１内を伝播して、吸気口１ａから室内に伝わる騒音を低減させている。
【００３３】
次に、本発明の要旨である汚れ検知ブロック１５の動作について説明する。
【００３４】
汚れ検知ブロック１５は、図１に示すように、判定部１５ａと、記憶部１５ｂと、判断テーブル１５ｃとで構成され、その動作について、図６のフローチャートを用いて説明する。
【００３５】
まず、ユーザによる図示しないスイッチ操作（例えば、換気運転ボタンの押下）等のトリガーにより、ファン２が動作を開始する（Ｓ１）。このとき、参照マイクロホン１１および誤差マイクロホン１２は、ファン２の動作音を集音して、参照信号および誤差信号を出力する。そして、判定部１５ａは、参照マイクロホン１１および誤差マイクロホン１２が出力した参照信号および誤差信号を、ファン２が動作を開始してから所定時間が経過するまで収集し、記憶部１５ｂに格納する（Ｓ２）。そして、判定部１５ａは、記憶部１５ｂに格納した参照信号および誤差信号の周波数分析を行う（Ｓ３）。なお、消音制御ブロック１４は、判定部１５ａによるステップＳ２の処理が完了した後、アクティブノイズ制御を開始する。
【００３６】
次に、判定部１５ａは、ＲＯＭ等のメモリに格納されている判断テーブル１５ｂを参照し、参照信号および誤差信号の周波数分析結果に基づいて、参照マイクロホン１１、誤差マイクロホン１２、スピーカ１３の各汚れの付着具合を判定する（Ｓ４）。
【００３７】
図７（ａ）（ｂ）に示す判断テーブル１５ｂは、マイクロホンの感度低下レベルと、マイクロホンの汚れ付着量との関係を、複数の周波数帯毎にグラフ化している。図７（ａ）は、５００Ｈｚの信号成分において、マイクロホンの汚れ付着量とマイクロホンの感度低下レベルとの関係を示すグラフデータである。図７（ｂ）は、１０００Ｈｚの信号成分において、マイクロホンの汚れ付着量とマイクロホンの感度低下レベルとの関係を示すグラフデータである。なお、このグラフデータは、参照マイクロホン１１および誤差マイクロホン１２に共通としているが、参照マイクロホン１１および誤差マイクロホン１２の各グラフデータを個別に作成してもよい。また、グラフ化する周波数帯は限定されず、例えば、１／３オクターブ間隔でグラフ化してもよい。
【００３８】
そして、判定部１５ａは、参照信号および誤差信号の基準パワーレベル（ｄＢ）（すなわち、マイクロホンの感度低下のない状態での各信号のパワーレベル）が、周波数帯毎に予め設定されている。判定部１５ａは、参照信号および誤差信号の基準パワーレベルから、参照信号および誤差信号の周波数分析結果に基づくパワーレベルを引くことによって、各マイクロホンの感度低下レベルを周波数帯毎に導出する。
【００３９】
判定部１５ａは、参照マイクロホン１１および誤差マイクロホン１２の各感度低下レベルに基づいて、各マイクロホンの汚れ付着量を求めて、この汚れ付着量が所定の閾値以上であれば、報知部１６に報知信号を出力する。例えば、判定部１５ａは、参照マイクロホン１１の汚れ付着量が所定の閾値以上であれば、報知部１６に第１の報知信号を出力し、誤差マイクロホン１２の汚れ付着量が所定の閾値以上であれば、報知部１６に第２の報知信号を出力する。なお、判定部１５ａは、いずれか１つの周波数帯において、マイクロホンの汚れ付着量が所定の閾値以上となった場合に報知信号を出力してもよい。または、判定部１５ａは、複数の周波数帯において、マイクロホンの汚れ付着量が所定の閾値以上となった場合に報知信号を出力してもよい。
【００４０】
さらに、スピーカ１３に汚れが付着した場合、スピーカＳＰが出力するキャンセル音の周波数特性が変化する。したがって、スピーカ１３に汚れが付着した場合、参照マイクロホン１１、誤差マイクロホン１２が集音した参照信号、誤差信号の周波数特性も変化する。そこで、判断テーブル１５ｂに、スピーカ１３に汚れが付着した場合における参照信号、誤差信号の各周波数特性データも格納しておき、判定部１５ａは、ステップＳ４において、スピーカ１３の汚れの付着量も判定する。そして、判定部１５ａは、スピーカ１３の汚れの付着量が所定の閾値以上となった場合、報知部１６に第３の報知信号を出力する。
【００４１】
報知部１６は、判定部１５ａから第１の報知信号を受信すると、参照マイクロホン１１の拭き取り、洗浄等の清掃をユーザに促す報知動作を行う。また、報知部１６は、判定部１５ａから第２の報知信号を受信すると、誤差マイクロホン１２の拭き取り、洗浄等の清掃をユーザに促す報知動作を行う。さらに、報知部１６は、判定部１５ａから第３の報知信号を受信すると、スピーカ１３の拭き取り等の清掃をユーザに促す報知動作を行う（Ｓ５）。
【００４２】
そして、ユーザは、報知部１６による報知動作によって、参照マイクロホン１１、誤差マイクロホン１２、スピーカ１３の各清掃タイミングを認識すると、参照マイクロホン１１、誤差マイクロホン１２、スピーカ１３の各清掃を実施する。
【００４３】
清掃された参照マイクロホン１１、誤差マイクロホン１２、スピーカ１３の各々は、本来の性能（マイクロホンの感度および周波数特性、スピーカ出力の周波数特性等）を回復できる。したがって、消音制御ブロック１４による騒音の低減効果も回復する。すなわち、消音装置Ａは、清掃タイミングを適切に利用者に報知して、アクティブノイズ制御による騒音低減効果を維持させることができる。
【００４４】
さらに、汚れ検知ブロック１５は、ファン２の実際の動作音に基づいて、参照マイクロホン１１、誤差マイクロホン１２、スピーカ１３の各汚れの付着具合を判定するので、後述の評価音の発生手段を設ける必要がなく、構成の簡易化を図ることができる。
【００４５】
また、判断テーブル１５ｂは、例えば図８に示すように、参照信号および誤差信号の各パワーレベル（ｄＢ）と周波数（Ｈｚ）との関係を、マイクロホンへの汚れの付着具合に応じてグラフ化したものでもよい。図８では、汚れの付着量が少ない場合の特性Ｙ１１、汚れの付着量が中程度である場合の特性Ｙ１２、汚れの付着量が多い場合の特性Ｙ１３を示す。特性Ｙ１１〜Ｙ１３は、汚れの付着量が多くなるほど、高周波帯域のパワーレベルが低下している。
【００４６】
そして、判定部１５ａは、図８の判断テーブル１５ｂを参照し、参照信号および誤差信号の各パワーレベルの周波数特性に基づいて、参照マイクロホン１１、誤差マイクロホン１２の各汚れ付着量を求める。そして、判定部１５ａは、参照マイクロホン１１の汚れ付着量が所定の閾値以上であれば、報知部１６に第１の報知信号を出力し、誤差マイクロホン１２の汚れ付着量が所定の閾値以上であれば、報知部１６に第２の報知信号を出力する。
【００４７】
また、判断テーブル１５ｂは、グラフ化したものに限定されず、例えば数表化等の他の形態のデータであってもよい。
【００４８】
なお、参照マイクロホン１１、誤差マイクロホン１２、スピーカ１３の清掃（手入れ）は、例えば、「洗浄剤とクロスとを用いた拭き取り」、「消音装置Ａをフード１から取り外して洗浄する」、「消音装置Ａの交換」等が挙げられる。
【００４９】
さらに、フード１を複数の通気路で構成し、各通気路に消音ユニットＵを配置してもよい。
【００５０】
（実施形態２）
本実施形態の消音装置Ａのブロック構成は、図９に示され、実施形態１と同様の構成には同一の符号を付して説明は省略する。
【００５１】
本実施形態の消音装置Ａは、汚れ検知ブロック１５に評価音再生部１５ｄを設けており、この汚れ検知ブロック１５の動作について、図１０のフローチャートを用いて説明する。
【００５２】
評価音再生部１５ｄは、ファン２が動作を停止しているとき、ユーザによる図示しないスイッチ操作（例えば、お手入れチェックボタンの押下）等のトリガーにより、スピーカ１３から評価音を出力する（Ｓ１１）。この評価音は、ファン２の動作音の擬似音であり、ファン２の動作音に基づいて予め作成されて、評価音再生部１５ｄが備えるＲＯＭ等のメモリに格納されている。このとき、参照マイクロホン１１および誤差マイクロホン１２は、評価音を集音して、参照信号および誤差信号を出力する。
【００５３】
そして、判定部１５ａは、参照マイクロホン１１および誤差マイクロホン１２が出力した参照信号および誤差信号を、評価音の出力開始から所定時間が経過するまで収集し、記憶部１５ｂに格納する（Ｓ１２）。そして、判定部１５ａは、記憶部１５ｂに格納した参照信号および誤差信号の周波数分析を行う（Ｓ１３）。
【００５４】
次に、判定部１５ａは、ＲＯＭ等のメモリに格納されている判断テーブル１５ｂを参照し、参照信号および誤差信号の周波数分析結果に基づいて、参照マイクロホン１１、誤差マイクロホン１２、スピーカ１３の各汚れの付着具合を判定する（Ｓ１４）。判定部１５ａは、参照マイクロホン１１および誤差マイクロホン１２の各感度低下レベル、参照信号および誤差信号の各周波数特性に基づいて、参照マイクロホン１１および誤差マイクロホン１２、スピーカ１３の各汚れ付着量を求める。そして、判定部１５ａは、参照マイクロホン１１の汚れ付着量が所定の閾値以上であれば、報知部１６に第１の報知信号を出力し、誤差マイクロホン１２の汚れ付着量が所定の閾値以上であれば、報知部１６に第２の報知信号を出力する。さらに、判定部１５ａは、スピーカ１３の汚れの付着量が所定の閾値以上となった場合、報知部１６に第３の報知信号を出力する。
【００５５】
報知部１６は、判定部１５ａから第１の報知信号を受信すると、参照マイクロホン１１の拭き取り、洗浄等の清掃をユーザに促す報知動作を行う。また、報知部１６は、判定部１５ａから第２の報知信号を受信すると、誤差マイクロホン１２の拭き取り、洗浄等の清掃をユーザに促す報知動作を行う。さらに、報知部１６は、判定部１５ａから第３の報知信号を受信すると、スピーカ１３の拭き取り等の清掃をユーザに促す報知動作を行う（Ｓ１５）。
【００５６】
そして、ユーザは、報知部１６による報知動作によって、参照マイクロホン１１、誤差マイクロホン１２、スピーカ１３の各清掃タイミングを認識すると、参照マイクロホン１１、誤差マイクロホン１２、スピーカ１３の各清掃を実施する。
【００５７】
清掃された参照マイクロホン１１、誤差マイクロホン１２、スピーカ１３の各々は、本来の性能（マイクロホンの感度および周波数特性、スピーカ出力の周波数特性等）を回復できる。したがって、消音制御ブロック１４による騒音の低減効果も回復する。すなわち、消音装置Ａは、清掃タイミングを適切に利用者に報知して、アクティブノイズ制御による騒音低減効果を維持させることができる。
【００５８】
さらに、評価音の特性（音量、周波数特性等）が予め決まっているので、汚れ検知ブロック１５は、参照マイクロホン１１、誤差マイクロホン１２、スピーカ１３の各汚れの付着具合を精度よく判定することができる。
【００５９】
また、判定部１５ａが、ファン２の実際の動作音を用いて各部の汚れの付着具合を判定した場合、ファン２が定常動作して、動作音の周波数スペクトルが安定するまで時間がかかるため、判定処理にも時間がかかる。一方、本実施形態では、評価音再生部１５ｄに予め格納されている既知の評価音を用いるので、判定部１５ａによる判定処理のみを短時間で行うことができる。さらに、評価音として、ファン２の動作音の擬似音を用いることによって、汚れ検知ブロック１５の動作時における不自然感、違和感を軽減している。
【００６０】
なお、評価音は、周波数特性がフラットで感度低下レベルを分析し易いホワイトノイズや、フード１の共鳴特性を考慮して、フード１内での周波数特性をフラットにした音源でもよい。
【００６１】
また、汚れ検知ブロック１５が図１０に示すフローチャートの動作を完了した後に、ファン２の駆動、および消音制御ブロック１４によるアクティブノイズ制御を開始する。このファン２の駆動開始、および消音制御ブロック１４によるアクティブノイズ制御の開始トリガーは、自動、手動のいずれであってもよい。
【００６２】
（実施形態３）
本実施形態の消音装置Ａの構成は、実施形態２と同様であり、同様の構成には同一の符号を付して説明は省略する。
【００６３】
本実施形態の消音装置Ａは、判定部１５ａが、参照マイクロホン１１および誤差マイクロホン１２の各汚れ具合に応じて、フード１における清掃箇所を判定することを特徴としており、以下、図１１のフローチャートを用いて説明する。
【００６４】
まず、評価音再生部１５ｄは、ファン２が動作を停止しているとき、ユーザによる図示しないスイッチ操作（例えば、お手入れチェックボタンの押下）等のトリガーにより、スピーカ１３から評価音を出力する（Ｓ２１）。この評価音は、ファン２の動作音の擬似音であり、ファン２の実際の動作音に基づいて予め作成されて、評価音再生部１５ｄに格納されている。このとき、参照マイクロホン１１および誤差マイクロホン１２は、評価音を集音して、参照信号および誤差信号を出力する。
【００６５】
そして、判定部１５ａは、参照マイクロホン１１および誤差マイクロホン１２が出力した参照信号および誤差信号を、評価音の出力開始から所定時間が経過するまで収集し、記憶部１５ｂに格納する（Ｓ２２）。そして、判定部１５ａは、記憶部１５ｂに格納した参照信号および誤差信号の周波数分析を行う（Ｓ２３）。
【００６６】
次に、判定部１５ａは、ＲＯＭ等のメモリに格納されている判断テーブル１５ｂを参照し、参照信号および誤差信号の周波数分析結果に基づいて、参照マイクロホン１１、誤差マイクロホン１２の各汚れの付着具合を判定する。
【００６７】
まず、判定部１５ａは、参照マイクロホン１１および誤差マイクロホン１２の各感度低下レベルに基づいて、参照マイクロホン１１および誤差マイクロホン１２の各汚れ付着量を求める。そして、判定部１５ａは、参照マイクロホン１１および誤差マイクロホン１２の各汚れ付着量を、少ない順に［０］，［１］，［２］の３ランクのいずれかに振り分ける。
【００６８】
ランク［０］は、汚れ付着量が閾値Ｘ１未満であり、例えば、新品の状態や、清掃後の状態等の初期状態が相当する。ランク［０］は、参照マイクロホン１１、誤差マイクロホン１２ともに設定することができる。
【００６９】
ランク［１］は、汚れ付着量が閾値Ｘ１以上、且つ閾値Ｘ２未満であり（但し、Ｘ１＜Ｘ２）、中程度の汚れ付着量である。ランク［１］は、参照マイクロホン１１のみに設定することができる。
【００７０】
ランク［２］は、汚れ付着量が閾値Ｘ２以上になって、汚れ付着量が多い状態であり、アクティブノイズ制御に影響を与え始める汚れ付着量である。ランク［２］は、参照マイクロホン１１、誤差マイクロホン１２ともに設定することができる。
【００７１】
そして、判定部１５ａは、参照マイクロホン１１および誤差マイクロホン１２の各汚れ付着量のランクの組み合わせに応じて、清掃箇所を示す報知信号を出力する。以下、参照マイクロホン１１のランク：Ｒａ、誤差マイクロホン１２のランク：Ｒｂとした場合、参照マイクロホン１１および誤差マイクロホン１２の各汚れ付着量のランクの組み合わせを［Ｒａ，Ｒｂ］で示す。また、参照マイクロホン１１および誤差マイクロホン１２の各汚れ付着量のランクの組み合わせ［Ｒａ，Ｒｂ］を、汚れ付着量ランク［Ｒａ，Ｒｂ］と称す。
【００７２】
まず、判定部１５ａは、汚れ付着量ランクが［１，０］であるか否かを判定する（Ｓ２４）。そして、判定部１５ａは、汚れ付着量ランクが、［１，０］である場合、清掃箇所を示す第４の報知信号を出力する。第４の報知信号は、フード１の吸気口１ａに設けたフィルタ３および整流板４の清掃を促す報知信号である。報知部１６は、判定部１５ａから第４の報知信号を受信すると、フード１の吸気口１ａに設けたフィルタ３および整流板４の清掃を促す報知動作を行う（Ｓ２５）。
【００７３】
また、判定部１５ａは、汚れ付着量ランクが、［１，０］でない場合、汚れ付着量ランクが、［２，０］であるか否かを判定する（Ｓ２６）。そして、判定部１５ａは、汚れ付着量ランクが、［２，０］である場合、清掃箇所を示す第５の報知信号を出力する。第５の報知信号は、消音ユニットＵをフード１から取り外すことなく、参照マイクロホン１１および、参照マイクロホン１１の周辺のみを拭き取る清掃を促す報知信号である。報知部１６は、判定部１５ａから第５の報知信号を受信すると、消音ユニットＵをフード１から取り外すことなく、参照マイクロホン１１および、参照マイクロホン１１の周辺のみを拭き取る清掃を促す報知動作を行う（Ｓ２７）。
【００７４】
また、判定部１５ａは、汚れ付着量ランクが、［２，０］でない場合、汚れ付着量ランクが、［＊，２］であるか否かを判定する（Ｓ２８）。なお、＊は、０，１，２のいずれでもよい。そして、判定部１５ａは、汚れ付着量ランクが、［＊，２］である場合、清掃箇所を示す第６の報知信号を出力する。第６の報知信号は、消音ユニットＵおよびファン２をフード１から取り外して、消音ユニットＵ（特に、参照マイクロホン１１、誤差マイクロホン１２、スピーカ１３、およびそれらの周辺）、およびファン２の清掃を促す報知信号である。報知部１６は、判定部１５ａから第６の報知信号を受信すると、消音ユニットＵ、およびファン２の清掃を促す報知動作を行う（Ｓ２９）。
【００７５】
判定部１５ａが、上述の清掃箇所判定処理を行った場合の状態遷移図を図１２に示す。なお、フード１内の汚れは、吸気口１ａ側からファン２側に向かって徐々に付着するものとする。
【００７６】
例えば、汚れ付着量ランクが初期状態［０，０］である場合、状態Ｑ１とする。状態Ｑ１では、報知部１６による報知動作は行われない。
【００７７】
そして、時間の経過に伴って参照マイクロホン１１の汚れ付着量が増大し、汚れ付着量ランクが［１，０］となった場合、状態Ｑ１から状態Ｑ２に遷移する。状態Ｑ２では、フード１の吸気口１ａに設けたフィルタ３および整流板４の清掃を促す報知動作が行われる。
【００７８】
そして、参照マイクロホン１１の汚れ付着量がさらに増大し、汚れ付着量ランクが［２，０］となった場合、状態Ｑ２から状態Ｑ３に遷移する。状態Ｑ３では、消音ユニットＵをフード１から取り外すことなく、参照マイクロホン１１および、参照マイクロホン１１の周辺のみを拭き取る清掃を促す報知動作を行う。そして、参照マイクロホン１１および、参照マイクロホン１１の周辺のみを拭き取る清掃によって、状態Ｑ３から初期状態Ｑ１に戻る。
【００７９】
また、状態Ｑ２において、誤差マイクロホン１２の汚れ付着量が増大し、汚れ付着量ランクが［１，２］となった場合、状態Ｑ２から状態Ｑ４に遷移する。あるいは、初期状態Ｑ１において、参照マイクロホン１１および誤差マイクロホン１２の各汚れ付着量が増大し、汚れ付着量ランクが［１，２］となった場合も、初期状態Ｑ１から状態Ｑ４に遷移する。状態Ｑ４では、フード１から取り外した消音ユニットＵ、およびファン２の清掃を促す報知動作が行われる。そして、消音ユニットＵ、およびファン２の清掃によって、状態Ｑ４から初期状態Ｑ１に戻る。なお、状態Ｑ１，Ｑ２と状態Ｑ４との間の遷移（図１２中の破線矢印）は、発生の可能性が低い。
【００８０】
また、初期状態Ｑ１において、誤差マイクロホン１２の汚れ付着量が増大し、汚れ付着量ランクが［０，２］となった場合、状態Ｑ１から状態Ｑ５に遷移する。状態Ｑ５では、フード１から取り外した消音ユニットＵ、およびファン２の清掃を促す報知動作が行われる。そして、消音ユニットＵ、およびファン２の清掃によって、状態Ｑ５から初期状態Ｑ１に戻る。
【００８１】
而して、本実施形態では、参照マイクロホン１１および誤差マイクロホン１２の各汚れ付着量に基づいて、清掃箇所を提示するので、より適切にお手入れ方法を報知することができる。
【００８２】
また、ファン２の清掃によって、ファン２の基本性能（吸気量、排気量等）を維持することができ、レンジフード装置としての機能を維持することも可能となる。
【００８３】
なお、各実施形態において、判定部１５ａは、参照マイクロホン１１および誤差マイクロホン１２の両出力に基づいて、各部の汚れ具合を判定している。しかし、判定部１５ａは、参照マイクロホン１１と誤差マイクロホン１２とのいずれか一方の出力に基づいて、各部の汚れ具合を判定してもよい。
【００８４】
また、各実施形態において、判定部１５ａは、参照マイクロホン１１および誤差マイクロホン１２の各汚れ具合と、スピーカ１３の汚れ具合との少なくとも一方を判定する構成であればよい。
【００８５】
また、消音装置Ａは、レンジフードだけでなく、空調ダクト、電気機器、トンネル等の通気路を含む空間において発生する騒音を低減させる目的に用いてもよい。
【符号の説明】
【００８６】
Ａ  消音装置
１１  参照マイクロホン（第１のマイクロホン）
１２  誤差マイクロホン（第２のマイクロホン）
１３  スピーカ
１４  消音制御ブロック
１４ａ  キャンセル音生成部
１４ｂ  制御部
１５  汚れ検知ブロック
１５ａ  判定部
１６  報知部
【図１】
2014077906.tif 000003
【図２】
2014077906.tif 000004
【図３】
2014077906.tif 000005
【図４】
2014077906.tif 000006
【図５】
2014077906.tif 000007
【図６】
2014077906.tif 000008
【図７】
2014077906.tif 000009
【図８】
2014077906.tif 000010
【図９】
2014077906.tif 000011
【図１０】
2014077906.tif 000012
【図１１】
2014077906.tif 000013
【図１２】
2014077906.tif 000014